(57)【要約】【課題】誤報を防ぎながら的確に侵入者の報知を行い、防犯機能を発揮する防犯センサを提供すること。【解決手段】侵入者を検知する検知手段１１と、検知手段１１が侵入者を検知した際に報知を行なう報知手段１３と、警戒設定操作または警戒解除操作を受け付ける操作手段１２を備え、報知手段１３は操作手段１２が警戒設定操作を受け付けてから、検知手段１１が最初に侵入者を検知した際は、予め設定された遅延時間経過後に一定時間の報知を行ない、一度報知を行なった後、操作手段１２が警戒解除操作を受け付ける前に、検知手段１３が再度侵入者を検知した際は、即時、報知を行なうことで、誤報を防ぎながら的確に侵入者の報知を行うよう構成することで、防犯機能を発揮する防犯センサを提供することが可能となる。【選択図】図１
2006113718.tif 000002
【特許請求の範囲】
【請求項１】
侵入者を検知する検知手段と、前記検知手段が侵入者を検知した際に報知を行なう報知手段と、警戒設定操作および警戒解除操作を受け付ける操作手段を備え、前記報知手段は前記操作手段が警戒設定操作を受け付けてから、前記検知手段が最初に侵入者を検知した際は予め設定された遅延時間経過後に報知を行ない、一度報知を行なった後、前記操作手段が警戒解除操作を受け付ける前に検知手段が再度侵入者を検知した際は、即時、報知を行なうことを特徴とするセンサ端末。
【請求項２】
侵入者を検知する複数のセンサ端末と防犯装置とが通信可能に接続された防犯システムにおいて、前記センサ端末は侵入者を検知する検知手段と、前記検知手段が侵入者を検知した際に報知を行なう報知手段と、前記防犯装置と通信する外部通信手段を備え、前記防犯装置は、前記センサ端末と通信する通信手段と、警戒設定操作および警戒解除操作を受け付ける操作手段と、侵入者を検知した際に外部に向けて通報する通報手段を備え、前記報知手段は前記操作手段が警戒設定操作を受け付けてから、前記検知手段が最初に侵入者を検知した際は、予め設定された遅延時間経過後に報知を行ない、一度報知を行なった後、前記操作手段が警戒解除操作を受け付ける前に前記検知手段が再度侵入者を検知した際は、即時、報知を行なうことを特徴とする防犯システム。
【請求項３】
防犯システムを構成するセンサ端末の一台が侵入者を検知し報知を行なった場合に、前記防犯装置は、前記防犯システムを構成する他のセンサ端末に対して、前記検知手段が侵入者を検知した際は、即時、報知を行なうよう通信し、制御することを特徴とする請求項２に記載の防犯システム。
【請求項４】
侵入者を検知し報知を行なうセンサ端末と通信する通信手段と、警戒設定操作および警戒解除操作を受け付ける操作手段と、前記センサ端末が侵入者を検知した際に外部に向けて通報する通報手段を備え、前記通信手段は前記センサ端末に対し、前記操作手段が警戒設定操作を受け付けてから、前記前記センサ端末が最初に侵入者を検知した際は、予め設定された遅延時間経過後に報知を行ない、前記センサ端末が一度報知を行なった後、前記操作手段が警戒解除操作を受け付ける前に、前記センサ端末が再度侵入者を検知した際は、即時、報知を行なうよう通信により制御することを特徴とする防犯装置。
【請求項５】
請求項１に記載のセンサ端末の機能の少なくとも一部をコンピュータに実現させるためのプログラム。
【請求項６】
請求項４に記載の防犯装置の機能の少なくとも一部をコンピュータに実現させるためのプログラム。
【発明の詳細な説明】
【技術分野】
【０００１】
本発明は、宅内外に設置したセンサ端末が侵入者を検知した際に、報知を行なうセンサ端末、防犯システム、防犯装置、及び、プログラムに関するものである。
【背景技術】
【０００２】
従来、この種の防犯システムでは、センサ端末が侵入者を検知した際に、センサ端末に備えた報知手段、または、防犯装置に備えた報知手段で報知を行なうものが多い（例えば特許文献１参照）。
【０００３】
これらの防犯システムでは、侵入者を検知するため、玄関扉や窓等に設置し扉や窓の開閉を検知する開閉センサや、生体の発する赤外線を検知する人感センサなどが利用されている。
【０００４】
これらの防犯システムでは、外出時に警戒設定をして出かけた後、家人が帰宅して玄関扉を開けた際に、誤って報知（以下、誤報）することを防ぐため、センサが侵入者を検知した後、一定の遅延時間だけ報知の開始を遅らせるものが考案されている。この遅延時間内に警戒解除すれば誤報することが防げるというものである。
【０００５】
また、侵入者を検知した際に報知する時間は数分間にしているものが多い。これは、猫などの小動物を検知し誤報した場合などに、長時間連続で報知し続け、近隣に迷惑をかけるのを防ぐためであり、また、侵入者に警告を与えるのには数分間で十分効果があるためでもある。
【特許文献１】特開平９−１９８５９１号公報
【発明の開示】
【発明が解決しようとする課題】
【０００６】
しかしながら、これら従来の防犯センサでは、真に侵入者を検出した場合でも、報知の開始を毎回遅延時間だけ遅らせているため、的確な報知ができていなかった。
【０００７】
本発明は、前記従来の課題を解決するもので、的確に報知を行なう防犯センサを提供することを目的とする。
【課題を解決するための手段】
【０００８】
前記従来の課題を解決するために、本発明のセンサ端末、防犯システム、防犯装置、及び、プログラムは、侵入者を検知した際に、初回の検知では遅延時間経過後に報知を行ない、２回目以降の検知では即時報知を行なえるようにしたものである。
【０００９】
これにより誤報を防ぎながら的確に侵入者の報知を行い、防犯機能を発揮する防犯センサを提供することが可能となる。
【発明の効果】
【００１０】
本発明のセンサ端末、防犯システム、防犯装置、及び、プログラムは、侵入者の２回目以降の検知では、遅延時間分待たずに即時報知することが可能となり、的確に侵入者の報知を行なう防犯センサを提供することが可能となる。
【発明を実施するための最良の形態】
【００１１】
第１の発明は、侵入者を検知する検知手段と、検知手段が侵入者を検知した際に報知を行なう報知手段と、警戒設定操作または警戒解除操作を受け付ける操作手段を備え、報知手段は操作手段が警戒設定操作を受け付けてから検知手段が最初に侵入者を検知した際は、予め設定された遅延時間経過後に報知を行ない、一度報知を行なった後、操作手段が警戒解除操作を受け付ける前に検知手段が再度侵入者を検知した際は、即時、報知を行なう構成とすることにより、的確に報知を行なう防犯センサを提供することが可能となる。
【００１２】
第２の発明は、侵入者を検知する複数のセンサ端末と防犯装置とが通信可能に接続された防犯システムにおいて、センサ端末は侵入者を検知する検知手段と、検知手段が侵入者を検知した際に報知を行なう報知手段と、防犯装置と通信する外部通信手段を備え、防犯装置は、センサ端末と通信する通信手段と、警戒設定操作または警戒解除操作を受け付ける操作手段と、侵入者を検知した際に外部に向けて通報する通報手段を備え、報知手段は操作手段が警戒設定操作を受け付けてから、検知手段が最初に侵入者を検知した際は、予め設定された遅延時間経過後に報知を行ない、一度報知を行なった後、操作手段が警戒解除操作を受け付ける前に、検知手段が再度侵入者を検知した際は、即時、報知を行なう構成とすることにより、的確に報知を行なう防犯システムを提供することが可能となる。
【００１３】
第３の発明は、特に、第２の発明において、システムを構成する前記センサ端末の一台が侵入者を検知し報知を行なった場合に、防犯装置は、システムを構成する他のセンサ端末に対して、検知手段が侵入者を検知した際は、即時、報知を行なうよう通信し、制御する構成とすることにより、センサ端末が協調して動作することができ、的確に報知を行なう防犯システムを提供することが可能となる。
【００１４】
第４の発明は、侵入者を検知し、報知を行なうセンサ端末と通信する通信手段と、警戒設定操作または警戒解除操作を受け付ける操作手段と、センサ端末が侵入者を検知した際に外部に向けて通報する通報手段を備え、通信手段はセンサ端末に対し、操作手段が警戒設定操作を受け付けてから、センサ端末が最初に侵入者を検知した際は、予め設定された遅延時間経過後に報知を行ない、センサ端末が一度報知を行なった後、操作手段が警戒解除操作を受け付ける前に、センサ端末が再度侵入者を検知した際は、即時、報知を行なうよう通信により制御する構成とすることにより、的確に報知を行なう防犯装置を提供することが可能となる。
【００１５】
第６の発明は、第１の発明におけるセンサ端末の少なくとも一部をコンピュータに実現させるためのプログラムである。第７の発明は、第４の発明における防犯装置の少なくとも一部をコンピュータに実現させるためのプログラムである。
【００１６】
これにより、電気・情報機器、コンピュータ、サーバー等のハードリソースを協働させてセンサ端末、及び、防犯装置の少なくとも一部を容易に実現することができる。また、記憶媒体に記憶したり、通信回線を用いてプログラムを配信したりすることでプログラムの配布やインストール作業が簡単にできる。
【００１７】
以下、本発明の実施の形態について、図面を参照しながら説明する。なお、この実施の形態によって本発明が限定されるものではない。
【００１８】
（実施の形態１）
図１は、本発明の実施の形態１におけるセンサ端末の構成を示すブロック図である。
【００１９】
図１において、１０はセンサ端末である。１１は侵入者を検知する検知手段であり、玄関扉や窓等の開口部に設置され、窓や扉の開閉を検知する開閉センサや、生体の発する赤外線を検知する人感センサ等で構成される。１２は操作手段であり、ユーザーからの警戒設定操作と警戒解除操作を受け付ける。警戒設定操作により、センサ端末１０は報知動作が有効な警戒モードに移行する。また、警戒解除操作により、センサ端末１０は報知動作が無効な警戒解除モードに移行する。１３は報知手段であり、警戒モードで検知手段１１が侵入者を検知すると警報音や画面表示等で報知動作を行なう。報知動作と併せて、通信回線を用いて電話などで外部の通報先へ通報するようにしても良い。センサ端末１０の各構成要素は相互に通信可能となるよう通信バス１００に接続されている。
【００２０】
次に、本発明の実施の形態１におけるセンサ端末の侵入者を検知した際の報知動作フローについて説明する。
【００２１】
図２は、本発明の実施の形態１におけるセンサ端末の報知動作フローを示す図である。
【００２２】
図２において、検知手段が侵入者を検知すると（Ｓ２０１）、警戒モードであるか否かを判断し（Ｓ２０２）、警戒モードでない場合は、何もしない（Ｓ２０３）。警戒モードであった場合は、警戒モードに設定されてから初めての検知であるか否かを判断する（Ｓ２０４）。初めての検知であった場合は、遅延時間だけ待った後（Ｓ２０５）、報知動作を行なう（Ｓ２０６）。警戒モードに設定されてから初めての検知でなかった場合は（Ｓ２０７）、即時、報知動作を実施する。
【００２３】
このようにして、家人が帰宅して玄関を開けた場合などには、Ｓ２０５のステップで遅延時間だけ待っている間に、操作手段を用いて警戒モードを解除すれば、誤報を防ぐことができる。しかしながら、侵入者を検知した２回目の検知以降は即時、報知を行うので侵入者は警戒モードを解除して報知動作を止めることができない。的確に報知を行なう防犯センサを提供することが可能となる。
【００２４】
（実施の形態２）
次に本発明の実施の形態２について説明する。
【００２５】
図３は、本発明の実施の形態２における防犯システムの構成を示すブロック図である。
【００２６】
図３において、２０は防犯システムであり、センサ端末３０Ａ〜３０Ｘと防犯装置４０から構成されている。
【００２７】
センサ端末３０Ａにおいて、３１Ａは侵入者を検知する検知手段であり、玄関扉や窓等の開口部に設置され、窓や扉の開閉を検知する開閉センサや、生体の発する赤外線を検知する人感センサ等で構成される。３２Ａは報知手段であり、警戒モードで検知手段が侵入者を検知すると警報音や画面表示等で報知動作を行なう。報知動作と併せて、通信回線を用いて電話などで外部の通報先へ通報するようにしても良い。３３Ａは外部通信手段であり、侵入者を検知した際は、防犯装置４０に対し検知信号を送信し、また、防犯装置４０からの制御信号を受信する。センサ端末３０Ａ〜３０Ｘは防犯装置４０の制御信号によって警戒モードなどを制御される。センサ端末３０Ａの各構成要素は相互に通信可能となるよう通信バス３００Ａに接続されている。
【００２８】
他のセンサ端末３０Ｂ〜３０Ｘも同様に構成されている。
【００２９】
図３において４０は防犯装置である。防犯装置４０において、４１はセンサ端末３０Ａ〜３０Ｘと通信する通信手段である。４２は操作手段であり、ユーザーからの警戒設定操作と警戒解除操作を受け付ける。警戒設定操作により防犯システム２０は警戒モードに移行し、システムを構成するセンサ端末３０Ａ〜３０Ｘは報知動作が有効となり、防犯装置４０は通報動作が有効となる。また、警戒解除操作により防犯システム２０は警戒解除モードに移行し、システムを構成するセンサ端末３０Ａ〜３０Ｘは報知動作が無効となり、防犯装置４０は通報動作が無効となる。
【００３０】
４３は通報手段であり、警戒モードで侵入者を検知した場合に、通信回線８０を用いて予め登録された外部の通報先９０Ａ〜９０Ｘに通報する。外部への通報以外に警報音や画面表示等の通報動作をなっても良い。また、防犯装置４０の各構成要素は相互に通信可能となるよう通信バス４００に接続されている。
【００３１】
次に、本発明の実施の形態２における防犯システムが侵入者を検知した際の動作シーケンスについて説明する。
【００３２】
図４は、本発明の実施の形態２における防犯システムの動作シーケンスを示す図である。
【００３３】
図４において、ユーザーが防犯装置４０に対し、警戒設定操作を行なうと（Ｓ４０１）、防犯装置４０は、センサ端末３０Ａ〜３０Ｘに対して警戒モードになるよう制御信号を送り（Ｓ４０２）、制御信号を受信したセンサ端末３０Ａ〜３０Ｘと防犯装置４０は警戒モードに移行する（Ｓ４０３）。
【００３４】
警戒モードに移行した後、初めてセンサ端末が侵入者を検知した場合、センサ端末は遅延時間待った後に報知する。図４では、センサ端末３０Ｂが侵入者を検知した（Ｓ４０４）際、遅延時間待った後に（Ｓ４０５）、センサ端末３０Ｂは報知し（Ｓ４０６）、防犯装置４０に対し、検知信号を送信する（Ｓ４０７）ことを示している。検知信号を受信した防犯装置４０は通報動作を行なう（Ｓ４０８）。
【００３５】
次に同じセンサ端末３０Ｂが、侵入者を検知した（Ｓ４０９）際、センサ端末３０Ｂは遅延時間待たずに、即時、報知し（Ｓ４１０）、防犯装置４０に対し、検知信号を送信する（Ｓ４１１）。検知信号を受信した防犯装置４０は通報動作を行なう（Ｓ４１２）。
【００３６】
このようにして、家人が帰宅して玄関を開けた場合などには、Ｓ４０５のステップで遅延時間だけ待っている間に、操作手段を用いて警戒モードを解除すれば、誤報を防ぐことができる。しかしながら、侵入者を検知した２回目の検知以降は即時、報知を行うので侵入者は警戒モードを解除して報知動作を止めることができない。的確に報知を行なう防犯センサを提供することが可能となる。
【００３７】
次に、本発明の実施の形態２における防犯システムが侵入者を検知した際の第２の動作シーケンスについて説明する。
【００３８】
図５は、本発明の実施の形態２における防犯システムの第２の動作シーケンスを示す図である。図５において、ユーザーが防犯装置４０に対し、警戒設定操作を行なうと（Ｓ５０１）、防犯装置４０は、センサ端末３０Ａ〜３０Ｘに対して警戒モードになるよう制御信号を送り（Ｓ５０２）、制御信号を受信したセンサ端末３０Ａ〜３０Ｘと防犯装置４０は警戒モードに入る（Ｓ５０３）。警戒モードに移行した後、初めてセンサ端末が侵入者を検知した場合、センサ端末は遅延時間待った後に報知する。
【００３９】
図５では、センサ端末３０Ｂが侵入者を検知した（Ｓ５０４）際、遅延時間待った後に（Ｓ５０５）、センサ端末３０Ｂは報知し（Ｓ５０６）、防犯装置４０に対し、検知信号を送信する（Ｓ５０７）ことを示している。検知信号を受信した防犯装置４０は通報動作を行なう（Ｓ５０８）。
【００４０】
また、防犯装置４０は、システムを構成するセンサ端末３０Ａ〜３０Ｘに対して遅延時間を無視するよう制御信号を送り（Ｓ５０９）、制御信号を受信したセンサ端末３０Ａ〜３０Ｘは、次回、侵入者を検知した際には、遅延時間分待たずに報知するよう制御される（Ｓ５１０）。この状態で、システムを構成するいずれかのセンサ端末が侵入者を検知すると、センサ端末は、遅延時間分待つことなく、即時、報知する。
【００４１】
図５では、センサ端末３０Ｘが侵入者を検知した（Ｓ５１１）際、センサ端末３０Ｘは遅延時間待たずに、即時、報知し（Ｓ５１２）、防犯装置４０に対し、検知信号を送信する（Ｓ５１３）ことを示している。検知信号を受信した防犯装置４０は通報動作を行なう（Ｓ５１４）。
【００４２】
このようにして、複数のセンサ端末が協調して動作することができ、的確に報知を行なう防犯システムを提供することが可能となる。
【００４３】
以上、センサ端末に遅延時間を計測するタイマーを持たせる例で説明してきたが、防犯装置にタイマーを持ち、センサ端末が報知を始める時間を制御する構成としても良い。
【００４４】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４５】
以上のように、本発明にかかるセンサ端末、防犯システム、防犯装置、及び、プログラムは、誤報を防ぎながら的確に侵入者の報知を行い、防犯機能を発揮する防犯センサを提供することが可能となるものであり、家庭用、或いは、業務用の防犯装置などに適用することができる。
【図面の簡単な説明】
【００４６】
【図１】本発明の実施の形態１におけるセンサ端末の構成を示すブロック図
【図２】本発明の実施の形態１におけるセンサ端末の報知動作フローを示す図
【図３】本発明の実施の形態２における防犯システムの構成を示すブロック図
【図４】本発明の実施の形態２における防犯システムの動作シーケンスを示す図
【図５】本発明の実施の形態２における防犯システムの第２の動作シーケンスを示す図
【符号の説明】
【００４７】
１０  センサ端末
１１、３１  検知手段
１２、４２  操作手段
１３、３２  報知手段
３３  外部通信手段
４０  防犯装置
４１  通信手段
４３  通報手段
１００、４００  通信バス
【図１】
2006113718.tif 000003
【図２】
2006113718.tif 000004
【図３】
2006113718.tif 000005
【図４】
2006113718.tif 000006
【図５】
2006113718.tif 000007